(57)【要約】      （修正有）【課題】伸縮部と一体編成された補強部における浮編組織に、その足囲方向長さが漸次変化する漸変部を設けて、「足当たり感の向上」等を実現する。【解決手段】使用者が履く靴のアッパー部材１である。アッパー部材１は、使用者の足を覆い且つ立体的に一体編成された無縫製の緯編地２であり、緯編地２は、所定方向に伸縮する伸縮部２１と、伸縮部２１を補強する補強部２２を有し、補強部２２には浮編組織５が設けられ、浮編組織５は、少なくとも使用者の足におけるＭＰ関節の近傍を覆う位置に、浮編組織５の足囲方向長さが漸次変化する漸変部６を有している。漸変部６は、使用者の足におけるＭＰ関節の近傍を覆う位置で、足囲方向長さが最も短くても良く、浮編組織５を編成する糸は、浮編組織５以外の部分を編成する糸より伸度が低かったり、その少なくとも一部が、平面視で使用者の足の足幅方向に対して斜めに配置されても構わない。【選択図】図８
2019062968.tif 000002
【特許請求の範囲】
【請求項１】
使用者が履く靴のアッパー部材であって、
当該アッパー部材は、前記使用者の足を覆い、且つ、立体的に一体編成された無縫製の緯編地であり、
前記緯編地は、所定方向に伸縮する伸縮部と、この伸縮部を補強する補強部を有し、
前記補強部には、浮編組織が設けられ、
前記浮編組織は、少なくとも前記使用者の足におけるＭＰ関節の近傍を覆う位置に、当該浮編組織の足囲方向長さが漸次変化する漸変部を有していることを特徴とするアッパー部材。
【請求項２】
前記漸変部は、前記使用者の足におけるＭＰ関節の近傍を覆う位置で、前記足囲方向長さが最も短いことを特徴とする請求項１に記載のアッパー部材。
【請求項３】
前記浮編組織を編成する糸は、当該浮編組織以外の部分を編成する糸より伸度が低いことを特徴とする請求項１又は２に記載のアッパー部材。
【請求項４】
前記浮編組織を編成する糸は、その少なくとも一部が、平面視で前記使用者の足の足幅方向に対して斜めに配置されていることを特徴とする請求項１〜３の何れか１項に記載のアッパー部材。
【請求項５】
前記浮編組織を編成する糸は、前記使用者の足におけるリスフラン関節とショパール関節のうち少なくとも１つの関節の近傍に、側面視で後方に向かうにつれて斜め下方に延びるように配置されていることを特徴とする請求項１〜４の何れか１項に記載のアッパー部材。
【請求項６】
請求項１〜５の何れか１項に記載のアッパー部材と、このアッパー部材を取り付けるソール部材を備え、
前記アッパー部材の足長方向長さは、前記ソール部材の足長方向長さより短いことを特徴とする靴。
【請求項７】
前記浮編組織を編成する糸は、前記使用者の足におけるリスフラン関節とショパール関節のうち少なくとも１つの関節の近傍に、側面視で後方に向かうにつれて斜め下方に延びるように配置されていることを特徴とする請求項６に記載の靴。
【発明の詳細な説明】
【技術分野】
【０００１】
本発明は、使用者が履く靴のアッパー部材、及び、靴に関する。
【背景技術】
【０００２】
従来、ソールとアッパーを含むシューズが知られている（特許文献１参照）。
このシューズにおけるアッパーは、丸編のニット組織からなる生地により構成されており、前記アッパーの所定の位置に繊維補強部を一体的に含み、前記繊維補強部は、複数本の浮き編糸による浮き編みである。この繊維補強部は、使用者のＭＰ関節等を覆うようにアッパーの足囲方向に沿って配置されており、これにより、アッパーのホールド性を高めている。
【先行技術文献】
【特許文献】
【０００３】
【特許文献１】特開２０１５−６６２８０号公報
【発明の概要】
【発明が解決しようとする課題】
【０００４】
しかしながら、特許文献１に記載されたシューズは、アッパーにおいて、複数本の浮き編糸による浮き編みである繊維補強部が、使用者のＭＰ関節等を覆うようにアッパーの足囲方向に沿って配置されているため、アッパーのホールド性は向上するものの、この繊維補強部と、当該繊維補強部以外の部分との間（切替り）で、足当たり感の低下を招いていた。
【０００５】
本発明は、このような点に鑑み、伸縮部と一体編成された補強部における浮編組織で、その足囲方向長さが漸次変化する漸変部が、少なくとも使用者の足におけるＭＰ関節の近傍を覆う位置に設けられることで、ホールド性を高めながら「足当たり感の向上」を実現するアッパー部材、及び、靴を提供することを目的とする。
【課題を解決するための手段】
【０００６】
本発明に係るアッパー部材１は、使用者が履く靴のアッパー部材であって、当該アッパー部材は、前記使用者の足を覆い、且つ、立体的に一体編成された無縫製の緯編地であり、前記緯編地は、所定方向に伸縮する伸縮部と、この伸縮部を補強する補強部を有し、前記補強部には、浮編組織が設けられ、前記浮編組織は、少なくとも前記使用者の足におけるＭＰ関節の近傍を覆う位置に、当該浮編組織の足囲方向長さが漸次変化する漸変部を有していることを第１の特徴とする。
【０００７】
本発明に係るアッパー部材１の第２の特徴は、上記第１の特徴に加えて、前記漸変部は、前記使用者の足におけるＭＰ関節の近傍を覆う位置で、前記足囲方向長さが最も短い点にある。
【０００８】
本発明に係るアッパー部材１の第３の特徴は、上記第１又は２の特徴に加えて、前記浮編組織を編成する糸は、当該浮編組織以外の部分を編成する糸より伸度が低い点にある。
【０００９】
本発明に係るアッパー部材１の第４の特徴は、上記第１〜３の特徴に加えて、前記浮編組織を編成する糸は、その少なくとも一部が、平面視で前記使用者の足の足幅方向に対して斜めに配置されている点にある。
【００１０】
本発明に係るアッパー部材１の第５の特徴は、上記第１〜４の特徴に加えて、前記浮編組織を編成する糸は、前記使用者の足におけるリスフラン関節とショパール関節のうち少なくとも１つの関節の近傍に、側面視で後方に向かうにつれて斜め下方に延びるように配置されている点にある。
【００１１】
これらの特徴により、伸縮部２１と一体編成された補強部２２における浮編組織５で、その足囲方向長さが漸次変化する漸変部６が、少なくとも使用者の足におけるＭＰ関節の近傍を覆う位置に設けられることによって、補強部２２における伸度Ｄのコントロール（例えば、補強部２２（浮編組織５）から当該補強部２２以外の部分（非補強部、又は、非浮編組織）に向かうにつれて徐々に伸度Ｄを上げる（伸び易くする）等）が可能となり、補強部２２と非補強部（非浮編組織）との間（切替り）で、ホールド性を高めながら足当たり感を向上できる（「足当たり感の向上」）。
【００１２】
又、漸変部６において、使用者Ｕの足ＦにおけるＭＰ関節の近傍を覆う位置で、足囲方向長さを最も短くすることによって、可動するＭＰ関節で、ホールド性を高めながら、更に足当たり感を向上できる。
【００１３】
更に、浮編組織５を編成する糸の伸度Ｄを、当該浮編組織５以外の部分を編成する糸より低くすることよって、使用者Ｕの足ＦにおけるＭＰ関節・リスフラン関節・ショパール関節等の部位に応じた位置をより強く伸び止めすることが可能となり、靴１００のアッパー部材１が大きく引き伸ばされる時（例えば、靴１００のソール部材３０が地面についた状態で、使用者Ｕの足Ｆの力の方向を急激に変更させる時など）であっても、使用者Ｕの足Ｆに靴１００（アッパー部材１）をフィットさせつつ、使用者Ｕの足Ｆとアッパー部材１のズレを低減できる。
【００１４】
これらに加えて、浮編組織５を編成する糸の少なくとも一部を、平面視で使用者Ｕの足Ｆの足幅方向Ｓに対して斜めに配置することによって、使用者Ｕの足Ｆの足幅方向Ｓ等に対して斜めに位置するＭＰ関節・リスフラン関節・ショパール関節に沿い易くなると共に、使用者Ｕの足Ｆとアッパー部材１のズレをより抑えられる。（使用者ＵのＭＰ関節・リスフラン関節・ショパール関節に対する「ホールド性」と「足当たり感」の更なる向上）。
その他、浮編組織５を編成する糸を、リスフラン関節やショパール関節の近傍に、側面視で後方に向かうにつれて斜め下方に延びるように配置しても良い。
【００１５】
本発明に係る靴１００は、上記第１〜５の特徴を有したアッパー部材と、このアッパー部材を取り付けるソール部材を備え、前記アッパー部材の足長方向長さは、前記ソール部材の足長方向長さより短いことを第１の特徴とする。
【００１６】
本発明に係る靴１００の第２の特徴は、上記第１の特徴に加えて、前記浮編組織を編成する糸は、前記使用者の足におけるリスフラン関節とショパール関節のうち少なくとも１つの関節の近傍に、側面視で後方に向かうにつれて斜め下方に延びるように配置されている点にある。
【００１７】
これらの特徴により、アッパー部材１の足長方向長さ１Ｌを、ソール部材３０の足長方向長さ３０Ｌより短くすることによって、アッパー部材１をソール部材３０に取り付けた際に、アッパー部材１全体で、使用者Ｕの足Ｆを緩やかに拘束でき、使用者Ｕが靴１００を履いた際に、使用者Ｕの足Ｆの皮膚に、アッパー部材１を更に追従させ易くなる。
尚、本発明における「アッパー部材１の足長方向長さ１Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該アッパー部材１の足長方向長さ１Ｌを意味する。
同様に、本発明における「ソール部材３０の足長方向長さ３０Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該ソール部材３０の足長方向長さ３０Ｌを意味する。
更に、靴１００において、「浮編組織５を編成する糸を、リスフラン関節やショパール関節の近傍に、側面視で後方に向かうにつれて斜め下方に延びるように配置する」とは、アッパー部材１をソール部材３０に取り付ける前後両方において、浮編組織５を編成する糸が、側面視で後方に向かうにつれて斜め下方に延びるように配置される場合だけでなく、アッパー部材１をソール部材３０に取り付ける前は、浮編組織５を編成する糸が、側面視で後方に向かうにつれて斜め下方に延びるように配置されていなくとも、アッパー部材１をソール部材３０に取り付けた後は、アッパー部材１が変形して、浮編組織５を編成する糸が、側面視で後方に向かうにつれて斜め下方に延びるように配置されることとなった場合も含む。
【発明の効果】
【００１８】
本発明に係るアッパー部材、及び、靴によると、伸縮部と一体編成された補強部における浮編組織で、その足囲方向長さが漸次変化する漸変部が、少なくとも使用者の足におけるＭＰ関節の近傍を覆う位置に設けられることで、ホールド性を高めながら「足当たり感の向上」を図るアッパー部材、及び、靴を実現できる。
【図面の簡単な説明】
【００１９】
【図１】本発明に係るアッパー部材（緯編地）の外観を示す図面代用写真である。
【図２】アッパー部材（緯編地）を示す平面図である。
【図３】アッパー部材（緯編地）を示す側面図である。
【図４】アッパー部材（緯編地）を示す正面図である。
【図５】アッパー部材における伸縮部と補強部の平面を示す図面代用写真である。
【図６】アッパー部材における伸縮部と補強部の底面を示す図面代用写真である。
【図７】裏返したアッパー部材における伸縮部と補強部の平面を示す図面代用写真である。
【図８】裏返したアッパー部材における伸縮部と補強部の側面を示す図面代用写真である。
【図９】裏返したアッパー部材における伸縮部と補強部の底面を示す図面代用写真である。
【図１０】浮編組織（浮糸の挿入割合（足囲方向長さ））と補強部の伸度の関係を示したグラフである。
【図１１】アッパー部材をソール部材に取り付けた靴を示す側面図である。
【発明を実施するための形態】
【００２０】
＜アッパー部材１の全体構成＞
以下、本発明の実施の形態を図面を参照して説明する。
図１〜１１には、本発明に係るアッパー部材１が示されており、このアッパー部材１は、使用者Ｕが履く靴１００の一部である。
【００２１】
アッパー部材１は、後述する緯編地２であり、後述するソール部材３０に取り付けられて靴１００を構成する。
この靴１００におけるアッパー部材１は、使用者Ｕの足Ｆを覆う部分であることから、まずは、靴１００を履く使用者Ｕの足Ｆについて、以下に詳解する。
【００２２】
＜使用者Ｕの足Ｆ＞
図２、３に示したように、使用者Ｕの足Ｆは、爪先Ｔから踵（かかと）Ｈに向かって順番に、指骨、中足骨、足根骨を有している。
使用者Ｕの足Ｆにおける指骨は、人差し指（第２趾）・中指（第３趾）・薬指（第４趾）・小指（第５趾）においては、爪先Ｔから踵Ｈに向かって順番に、末節骨と中節骨と基節骨で構成されているものの、親指（第１趾）においてだけは、中節骨がなく、末節骨と基節骨で構成されている。
【００２３】
足Ｆの指骨における関節は、人差し指・中指・薬指・小指については、爪先Ｔから踵Ｈに向かって順番に、末節骨と中節骨の間にある遠位趾節間関節（Distal InterPhalangeal joint（ＤＩＰ関節））と、中節骨と基節骨の間にある近位趾節間関節（Proximal InterPhalangeal joint（ＰＩＰ関節））を有している。
尚、上述したように、親指は、末節骨と基節骨で構成されるため、これらの間にある趾節間関節（InterPhalangeal joint （ＩＰ関節））のみを有している。
【００２４】
使用者Ｕの足Ｆは、指骨と中足骨の間にあるＭＰ関節（中足趾節間関節（MetaTarsoPharangeal joint ））を有している。
尚、足ＦにおけるＭＰ関節は、詳解すれば、親指の基節骨（第１基節骨）と親指に対応する中足骨（第１中足骨）の間にある関節と、人差し指の基節骨（第２基節骨）と人差し指に対応する中足骨（第２中足骨）の間にある関節と、中指の基節骨（第３基節骨）と中指に対応する中足骨（第３中足骨）の間にある関節と、薬指の基節骨（第４基節骨）と薬指に対応する中足骨（第４中足骨）の間にある関節と、小指の基節骨（第５基節骨）と小指に対応する中足骨（第５中足骨）の間にある関節を合わせた関節であると言え、手におけるＭＰ関節（中手指節間関節（MetaCarpoPhalangeal joint （ＭＣＰ関節））と区別するためＭＴＰ関節とも言う。
【００２５】
又、ＭＰ関節は、足Ｆにおいて、平面視で最も左右幅が広い（足幅方向の長さが長い）とも言える。
ここで、足Ｆにおける後述する足幅方向（左右方向）とは、後述する足Ｆの足長方向Ｌに対して、当該足長方向Ｌが略沿う水平面内で、略直交する方向であるとも言える。
一方、足Ｆにおける足厚方向（上下方向、鉛直方向）とは、後述する足Ｆの足長方向Ｌに対して、当該足長方向Ｌが略沿う鉛直平面内で、略直交する方向であるとも言える。
【００２６】
使用者Ｕの足Ｆにおける足根骨は、爪先Ｔ寄りから踵（かかと）Ｈ寄りに向かって順番に、内側楔状骨、中間楔状骨、外側楔状骨、立方骨、舟状骨、距骨、踵骨で構成されている。
足Ｆの足根骨における関節は、爪先Ｔから踵Ｈに向かって順番に、中足骨（親指・人差し指・中指・薬指・小指に対応する５本の中足骨）と足根骨（内側楔状骨・中間楔状骨・外側楔状骨・立方骨）の間にあるリスフラン関節や、足根骨内における（立方骨及び舟状骨と距骨及び踵骨の間にある）ショパール関節などを有している。
【００２７】
尚、上述したリスフラン関節は、親指に対応する中足骨（第１中足骨）と内側楔状骨の間にある関節と、人差し指に対応する中足骨（第２中足骨）と中側楔状骨の間にある関節と、中指に対応する中足骨（第３中足骨）と外側楔状骨の間にある関節と、薬指に対応する中足骨（第４中足骨）及び小指に対応する中足骨（第５中足骨）と立方骨の間にある関節を合わせた関節であると言え、足根中足関節とも言う。
又、ショパール関節は、舟状骨と距骨の間にある距舟関節と、立方骨と踵骨の間にある踵立方関節を合わせた関節であると言え、横足根関節とも言う。
その他、使用者Ｕの足Ｆの足根骨における関節は、上述したリスフラン関節やショパール関節以外にも、外側楔状骨と立方骨の間にある楔立方関節や、楔状骨（内側楔状骨・中側楔状骨・外側楔状骨）と舟状骨の間にある楔舟関節、距骨と踵骨の間にある距骨下関節などを有している。
【００２８】
＜使用者Ｕの足Ｆの足長方向Ｌ＞
図２、３に示したように、本発明における使用者Ｕの足Ｆの「足長方向（前後方向）Ｌ」とは、使用者Ｕの足Ｆにおける爪先Ｔ（親指・人差し指・中指・薬指・小指のうち、最も前方へ突出した指の先端）と踵Ｈ（踵Ｈにおいて最も後方へ突出した先端）を結ぶ方向を意味する。
よって、使用者Ｕの足Ｆは、足長方向Ｌに沿って前から順番に（爪先Ｔから踵Ｈに向かって順番に）、ＭＰ関節、リスフラン関節、ショパール関節を有していると言える。
又、本発明では、このような使用者Ｕの足Ｆについて、その一方の側部をＦＳ１とし、足Ｆの底部をＦＢ、他方の側部をＦＳ２とすると共に、使用者Ｕの足Ｆにおいて、その前部分（爪先Ｔからショパール関節まで）をＦＦ、後部分（ショパール関節から踵Ｈまで）をＦＲとし、更に、前部分ＦＦにおける甲部をＦＫとする。
【００２９】
尚、使用者Ｕの足Ｆのうち、その前部分ＦＦは、甲部ＦＫやその下方の底部ＦＢの他、各指（親指・人差し指・中指・薬指・小指）を含む一方で、後部分ＦＲは足首下方部分であるとも言える。
特に、使用者Ｕの足Ｆのうち、前部分ＦＦの甲部ＦＫ（上面）と各指の上面（各指の上部）を合わせて、甲部ＦＫ側、又は、上面ＦＪであると言える。
又、使用者Ｕの足Ｆにおける一方の側部ＦＳ１とは、前部分ＦＦの一方の側部（例えば、親指の一方側の側部（内甲側の側部）を含む）と後部分ＦＲの一方の側部を合わせたものであり、足Ｆにおける他方の側部ＦＳ２とは、前部分ＦＦの他方の側部と後部分ＦＲの他方の側部を合わせたものであり、足Ｆにおける底部ＦＢとは、前部分ＦＦの底部と後部分ＦＲの底部を合わせたものであると言える。
【００３０】
＜使用者Ｕの足Ｆの足幅方向Ｓ＞
図２、３に示したように、本発明における使用者Ｕの足Ｆの「足幅方向Ｓ」とは、上述したように、使用者Ｕの足Ｆの上述した足長方向Ｌに対して、当該足長方向Ｌが略沿う水平面内で、略直交する方向であって、一方の側部ＦＳ１から他方の側部ＦＳ２までを少なくとも含む方向を意味する。
詳解すれば、足Ｆの足幅方向Ｓは、上述した使用者Ｕの足Ｆの足長方向Ｌの各位置に応じており、例えば、足Ｆの爪先Ｔ近傍（爪先ＴからＭＰ関節まで）における足幅方向Ｓとは、親指・人差し指・中指・薬指・小指を纏めた部分の一方の側部ＦＳ１（親指の一方側の側部（内甲側の側部））から、親指・人差し指・中指・薬指・小指を纏めた部分の他方の側部ＦＳ２（小指の他方側の側部（外甲側の側部））までを少なくとも含み、足長方向Ｌが略沿う水平面内で、略直交する方向であると言える。
【００３１】
又、足Ｆにおける爪先Ｔ近傍を除いた前部分ＦＦ（ＭＰ関節からショパール関節まで）の足幅方向Ｓとは、当該前部分ＦＦの一方の側部ＦＳ１から、前部分ＦＦの他方の側部ＦＳ２までを少なくとも含み、足長方向Ｌが略沿う水平面内で、略直交する方向であると言える。
一方、足Ｆの後部分ＦＲ（ショパール関節から踵Ｈまで）における足幅方向Ｓとは、後部分ＦＲの一方の側部ＦＳ１から、後部分ＦＲの他方の側部ＦＳ２までを少なくとも含み、足長方向Ｌが略沿う水平面内で、略直交する方向であると言える。
【００３２】
＜使用者Ｕの足Ｆの足囲Ｗ、足囲方向Ｃ＞
図１、２、４に示したように、本発明における使用者Ｕの足Ｆの「足囲（足胴回り）Ｗ」とは、使用者Ｕの足Ｆにおける一方の側部ＦＳ１から底部ＦＢを経由して他方の側部ＦＳ２までを少なくとも含む部分を意味し、更に、甲部ＦＫ側を含んでいても良い。
詳解すれば、足囲Ｗは、上述した使用者Ｕの足Ｆの足長方向Ｌの各位置に応じており、例えば、足Ｆの爪先Ｔ近傍（爪先ＴからＭＰ関節まで）における足囲Ｗとは、親指・人差し指・中指・薬指・小指を纏めた部分の一方の側部ＦＳ１（親指の一方側の側部（内甲側の側部））から、親指・人差し指・中指・薬指・小指の底部ＦＢを経由して、親指・人差し指・中指・薬指・小指を纏めた部分の他方の側部ＦＳ２（小指の他方側の側部（外甲側の側部））も経由して、親指・人差し指・中指・薬指・小指の上面ＦＪ（甲部ＦＫ側）も含み、親指・人差し指・中指・薬指・小指を纏めた部分の一方の側部ＦＳ１まで１周して戻ってくるまでを含む部分であると言える。
【００３３】
又、足Ｆにおける爪先Ｔ近傍を除いた前部分ＦＦ（ＭＰ関節からショパール関節まで）の足囲Ｗとは、当該前部分ＦＦの一方の側部ＦＳ１から、前部分ＦＦにおける底部分（底部ＦＢ）を経由して、前部分ＦＦの他方の側部ＦＳ２も経由して、前部分ＦＦの甲部ＦＫ（上面ＦＪ又は甲部ＦＫ側）も含み、前部分ＦＦの一方の側部ＦＳ１まで１周して戻ってくるまでを含む部分であると言える。
一方、足Ｆの後部分ＦＲから踵Ｈまで（ショパール関節から踵Ｈまで）における足囲Ｗとは、後部分ＦＲの一方の側部ＦＳ１から、後部分ＦＲの底部ＦＢを経由して、後部分ＦＲの他方の側部ＦＳ２までを含む部分と言え、後部分ＦＲの上面は当然含まない（つまり、１周して戻ってはこない）。
【００３４】
よって、本発明における使用者Ｕの足Ｆの「足囲方向Ｃ」は、使用者Ｕの足Ｆにおける一方の側部ＦＳ１から底部ＦＢを経由して他方の側部ＦＳ２までの各表面は少なくとも略沿う周方向（上述の足長方向Ｌを略中心として囲む周方向）であるとも言える。
詳解すれば、足Ｆの爪先Ｔ近傍における足囲方向Ｃとは、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１の各表面まで略沿って戻る（１周回る）周方向であると言える。
【００３５】
又、足Ｆにおける爪先Ｔ近傍を除いた前部分ＦＦの足囲方向Ｃとは、当該前部分ＦＦの一方の側部ＦＳ１から、前部分ＦＦの底部ＦＢと、前部分ＦＦの他方の側部ＦＳ２と、前部分ＦＦの甲部ＦＫ（上面ＦＪ等）を経由して、前部分ＦＦの一方の側部ＦＳ１の各表面まで略沿って戻る（１周回る）周方向であると言える。
一方、足Ｆの後部分ＦＲおける足囲方向Ｃとは、後部分ＦＲの一方の側部ＦＳ１から、後部分ＦＲの底部ＦＢを経由して、後部分ＦＲの他方の側部ＦＳ２までの各表面に略沿う周方向であり、後部分ＦＲの上部は当然略沿わない（つまり、１周回る周方向ではない）。
【００３６】
＜アッパー部材１の足長方向Ｌ’、足長方向長さ１Ｌなど＞
図３、１１に示すように、アッパー部材１の足長方向Ｌ’は、当該アッパー部材１が足Ｆを覆った際、その足Ｆの足長方向Ｌに略沿う方向であると言えると共に、アッパー部材１のうち後述の爪先部分１ｔ（爪先部分１ｔ（緯編地２の爪先部分２ｔ）において最も前方へ突出した部分の先端）と踵部分１ｈ（踵部分１ｈ（緯編地２の踵部分２ｈ）において最も後方へ突出した部分の先端）を結ぶ方向であるとも言える。
又、アッパー部材１の足長方向長さ（前後長さ）１Ｌは、当該アッパー部材１が足Ｆを覆った際、当該アッパー部材１における足Ｆの足長方向Ｌに略沿った長さであるとも言えると共に、アッパー部材１における爪先部分１ｔ（爪先部分１ｔにおいて最も前方へ突出した部分の先端）から踵部分１ｈ（踵部分１ｈにおいて最も後方へ突出した部分の先端）までの長さとも言える。
【００３７】
ここで、本発明における「アッパー部材１の足長方向長さ１Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該アッパー部材１の足長方向長さ１Ｌを意味し、当該アッパー部材１に後述する加熱成形をした後におけるアッパー部材１の足長方向長さ１Ｌであっても、当該加熱成形をする前におけるアッパー部材１の足長方向長さ１Ｌであっても良い。
尚、アッパー部材１である一体編成された緯編地２の足長方向Ｌ’が緯編組織のコース方向であり、アッパー部材１（緯編地２）の足長方向長さ１Ｌが緯編組織のコース方向長さである。
【００３８】
＜アッパー部材１の足幅方向Ｓ’など＞
図１、２、４に示すように、アッパー部材１の足幅方向Ｓ’は、当該アッパー部材１が足Ｆを覆った際、その足Ｆの足幅方向Ｓに略沿う方向であると言えると共に、アッパー部材１の上述した足長方向Ｌ’に対して、当該足長方向Ｌ’が略沿う水平面内で、略直交する方向であるとも言える。
尚、アッパー部材１である一体編成された緯編地２の足幅方向Ｓ’が緯編組織のウェール方向である。
【００３９】
＜アッパー部材１の足囲方向Ｃ’、足囲Ｗ’＞
図１、２、４に示すように、アッパー部材１の足囲方向Ｃ’は、当該アッパー部材１が足Ｆを覆った際、その足Ｆの足囲方向Ｃに略沿う方向であり、アッパー部材１の足囲Ｗ’は、当該アッパー部材１が足Ｆを覆った際、その足Ｆの足囲方向Ｃに略沿った長さであるとも言える。
尚、アッパー部材１である一体編成された緯編地２の足囲方向Ｃ’がウェール方向であり、アッパー部材１（緯編地２）の足囲Ｗ’がウェール方向長さである。
【００４０】
＜緯編地２＞
図１〜１１に示されたように、緯編地２は、アッパー部材１として立体的に一体編成され、且つ、無縫製であり、この緯編地１枚で、上述した使用者Ｕの足Ｆの全体を覆っている。
つまり、緯編地２は、使用者Ｕの足Ｆの足長方向Ｌにおける全ての位置で、使用者Ｕの足Ｆにおける一方の側部ＦＳ１から底部ＦＢを経由して他方の側部ＦＳ２までを少なくとも含む足胴回りＷを覆っていると言える。
【００４１】
詳解すれば、緯編地２は、使用者Ｕの足Ｆの爪先Ｔ近傍（爪先ＴからＭＰ関節まで）に対しては、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１までを、１周回る部分（有底状で略筒状の前筒部分２ａ）で覆っていると言える。
緯編地２は、足Ｆにおける爪先Ｔ近傍を除いた前部分ＦＦ（ＭＰ関節からショパール関節まで）に対しては、当該前部分ＦＦの一方の側部ＦＳ１から、前部分ＦＦの他方の側部ＦＳ２と、前部分ＦＦの甲部ＦＫ（上面ＦＪ）を経由して、前部分ＦＦの一方の側部ＦＳ１の各表面までを、１周回る部分（略筒状の中筒部分２ｂ）で覆っていると言える。
【００４２】
一方、緯編地２は、足Ｆの後部分ＦＲに対しては、後部分ＦＲの一方の側部ＦＳ１から、後部分ＦＲの底部ＦＢを経由して、後部分ＦＲの他方の側部ＦＳ２までを覆い、後部分ＦＲの上部は当然覆わない（つまり、足Ｆの後部分ＦＲから踵Ｈまでを、１周回らず、上方開口した（履き口２ｇが上方に形成された）有底状の後開口部分２ｃで覆っている）。
このようにアッパー部材１を緯編地２で一体編成し、この緯編地２で、使用者Ｕの足Ｆの足長方向Ｌにおける全ての位置で、使用者Ｕの足Ｆにおける一方の側部ＦＳ１から底部ＦＢを経由して他方の側部ＦＳ２までを少なくとも含む足胴回りＷを覆っている。
【００４３】
ここまで述べたように、使用者Ｕの足Ｆを覆う緯編地２は、一体編成されているのであれば、何れの緯編組織でも良いが、例えば、天竺編（平編）やスムース編（両面編、二重ゴム編）の他、ゴム編、パール編、タック編、浮き編、レース編、両畦編、片畦編、ペレリン編、アイレット編、多衝程両面編、ダブル・ジャージー編、振り編、針抜き編、パイル編、フリース編、添え糸編、からみ添え糸編、ラーベン編、ひねり編、アーガイル編などの緯編組織（丸編組織）であっても良く、この緯編組織は、後述するように、部分的に異なっていても構わず、２種類以上の緯編組織で、１つの緯編地２を編成しても良い（例えば、２種類など）。
又、緯編地２は、上述した緯編組織を複数重ねて、一部又は全部を構成しても（２重緯編地や３重緯編地などでも）良いが、上述した緯編組織１重で構成して、軽量化を図っても構わない。
【００４４】
このように、１つの緯編地２が一体編成されているため、多種の材料を積層せず、又、接着剤も使用しないことから、常に外気を取り入れ易く、靴１００内部の湿気を放出し易く、蒸れを抑制できる。更には、緯編地２は、複数種の糸で一体編成されていることから、交編素材であるとも言え、靴１００内の汗を発散し易く、水に濡れても排水性が良いため、乾燥も速く優れているため、靴１００内を快適に保ち易いとも言える。
【００４５】
緯編地２は、上述した前筒部分２ａや中筒部分２ｂ、後開口部分２ｃ、履き口２ｇを有し、その他、後述する爪先部分２ｔ、後開口部分２ｃにおける最も後方に位置する部分（踵部分）２ｈを有している。
尚、緯編地２の重量も、特に限定はないが、例えば、１５ｇ以上３５ｇ以下、好ましくは１８ｇ以上３２ｇ以下、更に好ましくは２０ｇ以上３０ｇ以下（２５ｇなど）であっても良い。
【００４６】
＜緯編地２の爪先部分２ｔ・踵部分２ｈなど＞
その他、緯編地２は、使用者Ｕの足Ｆの爪先Ｔ側を覆う爪先部分２ｔや、使用者Ｕの足Ｆの踵Ｈを覆う踵部分２ｈなどを有していても良い。
尚、緯編地２において、上述した爪先部分２ｔと前筒部分２ａと中筒部分２ｂは、合わせて前部分２ｆであり、上述した踵部分２ｈと後開口部分２ｃ、履き口２ｇは、合わせて後部分２ｒであるとも言える。
【００４７】
上述した爪先部分２ｔは、上述した使用者Ｕの足Ｆの爪先ＴからＭＰ関節までを覆う緯編地２の有底状の前筒部分２ａにおいて、足Ｆの爪先Ｔ前方側の略中央位置（足幅方向且つ足厚方向における略中央位置）を覆う部分であり、緯編地２において最も前方へ突出した部分である一方、踵部分２ｈは、緯編地２において最も後方へ突出した部分である。
尚、緯編地２における一方の側部分２ｓ１とは、緯編地２の前部分２ｆの一方の側部分と後部分２ｒの一方の側部分を合わせたものであり、緯編地２における他方の側部分２ｓ２とは、前部分２ｆの他方の側部分と後部分２ｒの他方の側部を合わせたものであり、編地２における足裏部分２ｕとは、前部分２ｆの底部と後部分２ｒの底部を合わせたものであると言える。
【００４８】
＜伸縮部２１と、補強部２２＞
図１〜１１に示されたように、伸縮部２１は、緯編地２の一部であって、所定方向に伸縮する部分であり、又、補強部２２も、緯編地２の一部であって、上述した伸縮部２１を補強する部分である。
これら伸縮部２１と補強部２２は、何れも緯編地２の一部として一体編成されている。
【００４９】
伸縮部２１は、所定方向に伸縮することから、当然に、所定の伸度Ｄを有している。
このような伸縮部２１を補強するのであれば、補強部２２は、その構成に特に限定はないが、例えば、補強部２２は、伸縮部２１を編成する糸より伸度Ｄが低い糸で編成されていても良い。
これは、換言すると、伸縮部２１は、補強部２２を編成する糸より伸度Ｄが高い糸で編成されているとも言える。
【００５０】
又、伸縮部２１は、平面視で、上述した使用者Ｕの足Ｆにおける一方の側部ＦＳ１から他方の側部ＦＳ２へ又は他方の側部ＦＳ２から一方の側部ＦＳ１へ向いて配置されると共に、補強部２２は、伸縮部２１の隙間に配置されていても良い。
これは、補強部２２も、平面視で、上述した使用者Ｕの足Ｆにおける一方の側部ＦＳ１から他方の側部ＦＳ２へ又は他方の側部ＦＳ２から一方の側部ＦＳ１へ向いて配置されると共に、伸縮部２１は、補強部２２の隙間に配置されているとも言える。
【００５１】
つまり、伸縮部２１と補強部２２それぞれが、使用者Ｕの足Ｆの足幅方向Ｓ（足囲方向Ｃ）に略沿いながら、又は、足幅方向Ｓ（足囲方向Ｃ）に対して若干の角度をつけながら、当該使用者Ｕの足Ｆを覆っているとも言える。これと同時に、伸縮部２１と補強部２２それぞれが、使用者Ｕの足Ｆにおける足長方向Ｌに沿って略交互に（略縞状に）配置されているとも言える。
尚、伸縮部２１と補強部２２の少なくとも一方は、使用者Ｕの足Ｆを１周回って覆っていても良いが、当該足Ｆの足囲方向Ｃの途中で、途切れていても良い。
【００５２】
これら伸縮部２１と補強部２２のうち、補強部２２には、浮編組織５が設けられ、この浮編組織５を編成する糸は、当該浮編組織５以外の部分を編成する糸より伸度Ｄが低い。
このような伸縮部２１、補強部２２は、編成される糸の伸度Ｄによって特徴づけられるとも言えるが、ここで、この伸度Ｄ自体について述べる。
【００５３】
＜伸度Ｄ＞
本発明において「伸度Ｄ」とは、緯編地２を編成する糸を、当該糸の長手方向に引っ張った際の伸び易さ（逆に言えば、伸び難さ）を意味する。
尚、この伸度Ｄは、伸縮部２１、補強部２２それぞれを編成する糸そのものの伸度であるため、「糸伸度Ｄ」とも言える。
【００５４】
例えば、後に詳解する熱融着糸４等が使用される糸に含まれていれば、熱処理（加熱成形など）をすることで、緯編地２（例えば、補強部２２）の手触りが硬くなり、硬くなれば当然に緯編地２（補強部２２等）自体は伸び難くなることから、伸度Ｄは、硬さを表すとも言える。
又、伸度Ｄは、伸び易さを表現できるのであれば何れでも良いが、例えば、ＪＩＳ−Ｋ−６９００：１９９４に規定された応力−ひずみ曲線（stress-strain curve 、ＳＳカーブ）で表しても良い。
【００５５】
尚、実際に緯編地２に使われる糸においては、伸張する時に必要とされる応力（伸張時のＳＳカーブの形状）と、収縮する時に自然に生じる応力（収縮時のＳＳカーブの形状）が異なる（ヒステリシスループ（履歴曲線）となる）。
よって、このＳＳカーブにあれば、緯編地２に使われる糸において、伸張時に必要な応力と共に、収縮時に生じる応力も把握でき、使用者Ｕが靴１００を履いて緯編地２を伸張する時に必要な応力だけでなく、靴１００を履いた後に、緯編地２が収縮して使用者Ｕの足Ｆを拘束する様子が明確になり、アッパー部材１の伸度Ｄを表すものとして適切であると言える。
【００５６】
ここで、この応力−ひずみ曲線（ＳＳカーブ）は、ＪＩＳ−Ｋ−６９００：１９９４では「応力とひずみの対応する数値を互いに対照させて曲線で表した図表。注−通常応力の数値は縦軸（垂直）に、ひずみの数値は横軸（水平）にプロットされる」と規定されている。
伸度Ｄを示す応力−ひずみ曲線を、例えば、縦軸に応力（単位：Ｎ（ニュートン））とし、横軸に、伸張割合（単位：％）又は伸張長さ（単位：ｍ）としたり、その他、伸度Ｄの単位として、所定の伸張割合（％）又は伸張長さ（ｍ）だけ長手方向に伸張した時における応力（Ｎ（ニュートン））であっても良い。
尚、伸張割合とは、（伸張した時の長さ−伸張前の元の長さ）／（伸張前の元の長さ）で求められる。
【００５７】
又、上述した「ヒステリシスループ（履歴曲線）」は、ＪＩＳ−Ｋ−６９００：１９９４では「材料の周期的変形の間に作り出されるひずみに対する応力（又はこれらの関数）の閉鎖曲線図」と規定されている。
このようなヒステリシスループとなる応力−ひずみ曲線（ＳＳカーブ）で伸度Ｄを表した場合、その高低（大小）関係については、例えば、収縮時の傾き平均値（収縮時の区間におけるＳＳカーブ全体の傾き（例えば、単位はＮ／ｍ）を平均した値）で高低を比較したり、その他、伸張時の傾き平均値（伸張時の区間におけるＳＳカーブ全体の傾きを平均した値）や、収縮時の傾き平均値と伸張時の傾き平均値を足して２で割った値などで高低を比較しても良い。
【００５８】
その他、伸度Ｄを表すものとして、同じくＪＩＳ−Ｋ−６９００：１９９４で規定されたヤング率（引張弾性率）を用いても良い。
ここで、このヤング率は、ＪＩＳ−Ｋ−６９００：１９９４では「応力とひずみの商（割線弾性率）Ｅ＝σ／ε、又は、応力−ひずみ曲線に対する接線（接線弾性率）Ｅ＝ｄσ／ｄε」と規定されている。
【００５９】
尚、上記式中の「σ」とは、ＪＩＳ−Ｋ−６９００：１９９４において「応力（stress）」と規定され、「物体内部のある一点を通る一定の平面の単位面積に作用する内力又は内力の成分のその点における強さ」を意味しており、又、上記式中の「ε」とは、ＪＩＳ−Ｋ−６９００：１９９４において「ひずみ（strain）」と規定され、「物体のもとの寸法又は形状と比べた外力に基づく長さの寸法又は形状における変化」を意味する。
このヤング率の単位は、Ｎ（ニュートン）／ｍ2 （平方メートル）などとなる。
【００６０】
このようなヤング率は、上述した応力−ひずみ曲線（ＳＳカーブ）において言えば、例えば、収縮時や伸張時におけるＳＳカーブの傾きや、ヒステリシスループとなるＳＳカーブ上の任意の点における接線の傾きを意味することとなり、何れの区間や何れの点とするかで値が違ってくる。
従って、ヤング率で伸度Ｄを表した場合、その高低関係についても、例えば、ヒステリシスループの収縮時の傾き平均値を表すヤング率同士で高低を比較したり、伸張時の傾き平均値を表すヤング率同士や、収縮時の傾き平均値と伸張時の傾き平均値を表す各ヤング率を足して２で割った値同士、ヒステリシスループ上の所定の点における接線の傾きを表すヤング率同士などで高低を比較することとなる。
【００６１】
このような伸度（糸伸度）Ｄについて、伸縮部２１、補強部２２が伸度Ｄが異なる糸で編成されている場合には、当該伸縮部２１、補強部２２のうち、より伸度Ｄが高い糸で編成された伸縮部２１は「高伸度部２１」であるとも言え、より伸度Ｄが低い糸で編成された補強部２２は「低伸度部２２」であるとも言える。
尚、伸縮部（高伸度部）２１や、補強部（低伸度部）２２のような部分そのものとしての伸度は、「部分伸度Ｄ’」であるとも言える。
この「部分伸度Ｄ’」は、伸縮部２１や補強部２２のような緯編地２の一部分を、所定方向（緯編地２の足長方向Ｌ’（コース方向）又は足囲方向Ｃ’（ウェール方向））に引っ張った際の伸び易さ（逆に言えば、伸び難さ）を意味するとも言え、上述した応力−ひずみ曲線（stress-strain curve 、ＳＳカーブ）や、ヤング率（引張弾性率）を用いて表したり、その他、部分伸度Ｄ’の単位として、所定の伸張割合（％）又は伸張長さ（ｍ）だけ所定の方向（例えば、足囲方向Ｃ’（ウェール方向））に伸張した時における所定の幅（例えば、５０ｍｍ）当りの応力（例えば、Ｎ（ニュートン）／５０ｍｍ）であっても良い。
【００６２】
このような「部分伸度Ｄ’」は、それぞれを編成する糸自体の糸伸度Ｄが異なることによって生じるが、この糸伸度Ｄ以外に、伸縮部２１、補強部２２それぞれとしての構成（形状・配置・緯編組織や、各部分を編成する編目（ループ）の大きさ・数等）が異なることによっても生じるとも言え、伸縮部２１、補強部２２ごとに機能を持たせることも出来る。
そこで、伸縮部２１や、補強部２２のそれぞれの構成について、以下に詳解する。
【００６３】
＜伸縮部２１＞
図１〜１１に示したり、上述したように、伸縮部２１は、所定の伸度Ｄ（糸伸度Ｄや、部分伸度Ｄ’）を有して所定方向に伸縮する部分であり、これは、アッパー部材１（緯編地２）を所定方向に引っ張った際に、補強部２２より伸び易いからとも言える。
つまり、この伸び易さを換言すれば、伸縮部２１を編成する糸の糸伸度Ｄ（伸縮部２１としての部分伸度Ｄ’）が、補強部２２を編成する糸の糸伸度Ｄ（補強部２２としての部分伸度Ｄ’）より高いとも言える。
【００６４】
ここで、伸縮部２１が、伸縮する「所定方向」とは、使用者Ｕの足Ｆの少なくとも足長方向Ｌ（アッパー部材１の足長方向Ｌ’）を含み、この他、足幅方向Ｓ（足幅方向Ｓ’）や、足厚方向や、平面視や側面視における斜め方向（バイアス方向）を含んでも良い。
尚、伸縮部２１の伸度Ｄの具体的な値は、伸縮する（又は、補強部２２の伸度Ｄより高い）のであれば、何れの値でも良い。
【００６５】
伸縮部２１の配置も、特に限定はないが、例えば、平面視で、上述した使用者Ｕの足Ｆにおける一方の側部ＦＳ１から他方の側部ＦＳ２へ、又は、他方の側部ＦＳ２から一方の側部ＦＳ１へ向いて配置（換言すれば、伸縮部２１は、後述する補強部２２の隙間（複数の補強部２２に挟まれていたり、補強部２２のそば）に配置）されていても良い。
つまり、伸縮部２１は、緯編地２の足幅方向Ｓ’のうち何れかの方向に略沿う方向、又は、足幅方向Ｓ’に対して若干の角度をつけた方向に向いて配置されているとも言える。
【００６６】
伸縮部２１は、その形状も、特に限定はなく、例えば、略帯状（略線状や略筋（すじ）状）であったり、先細り状（略三角形状）や略矩形状などであっても良い。
伸縮部２１が略帯状である場合、その伸縮部２１は途中で屈曲していても良い。
【００６７】
伸縮部２１が略帯状である場合、その伸縮部２１の幅（緯編地２としてのコース方向である足長方向長さ）も、特に限定はないが、後述する補強部２２より幅狭であっても良く、例えば、補強部２２と比べて、伸縮部２１を編成する糸（伸縮糸）の本数（コースの数）がより少なかったり、伸縮糸の本数（コースの数）に関わらず、各伸縮糸の繊度（太さ）が細い等によって、補強部２２より幅狭となっても構わない。
又、伸縮部２１が略帯状である場合、その伸縮部２１の幅は、例えば、当該伸縮部２１を編成する伸縮糸が、１本（緯編地２としての１コース）以上、７本（緯編地２としての７コース）以下であっても良い。
以下、伸縮部２１は、略帯状であるとして述べる。
【００６８】
伸縮部２１は、緯編地２の足幅方向Ｓ’に略沿って、又は、足幅方向Ｓ’に対して若干の角度をつけて、所定の足幅方向範囲に配置されることとなる。
ここで、「所定の足幅方向範囲」とは、伸縮部２１の一方端から他方端まで（又は他方端から一方端まで）の足幅方向Ｓ’に亘る範囲とも言えるが、伸縮部２１が、使用者Ｕの足Ｆを１周回って覆っている場合（つまり、緯編地２の上面部分２ｊ（甲部分２ｋ）側と足裏部分２ｕに亘って伸縮部２１が配置されている場合）には、この足幅方向範囲は、緯編地２全体となり、伸縮部２１の足幅方向範囲における一方端や他方端は存在しなくなる。
【００６９】
伸縮部２１は、１つの緯編地２に対して複数あり、当該足Ｆの足長方向Ｌ（編地２の足長方向Ｌ’）に略沿って、繰り返し配置される。
又、伸縮部２１は、当該足Ｆの足長方向Ｌ（緯編地２の足長方向Ｌ’）に略沿って、所定の足長方向範囲に配置されることとなる。
ここで、「所定の足長方向範囲」とは、最も前（爪先部分２ｔ）側に配置された伸縮部２１の前端から、最も後（踵部分２ｈ）側に配置された伸縮部２１の後端までの足長方向Ｌ’に略沿った範囲となる。
【００７０】
又、伸縮部２１の前端位置や後端位置は、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、伸縮部２１における足幅方向範囲や足長方向範囲は、後述する補強部２２における足幅方向範囲や足長方向範囲と略同一であるとも言える。
【００７１】
伸縮部２１は、その一部に、上面ＦＪ側及び底部ＦＢ側において、伸度Ｄ（部分伸度Ｄ’）が異なる部分を有していても良い。
このような伸縮部２１中の伸度Ｄが異なる部分は、伸縮部２１を編成する糸（伸縮糸）の各編目（ループ）の数・大きさを、他の部分と異なるようにしたり、後述する補強部２２内の浮編組織５が、伸縮部２１に跨ることによって設けられても良い。
【００７２】
＜伸縮糸＞
ここまで述べた伸縮部（高伸度部）２１を編成する糸（謂わば、伸縮糸又は高伸度糸）については、後述する補強部（低伸度部）２２を編成する糸より伸度（糸伸度）Ｄが高ければ、その他は特に限定はないが、例えば、ポリウレタン（ＰＵ）樹脂製の糸とゴム製の糸の少なくとも一方を含んでいても良い。
又、伸縮糸は、芯糸に対して鞘糸を巻き付けたカバリング構造であっても良い。
【００７３】
尚、伸縮糸がカバリング構造である場合、芯糸が、ポリウレタン樹脂製の糸やゴム製の糸であって、鞘糸が、ポリエステル樹脂（例えば、ポリエチレンテレフタレート（ＰＥＴ）樹脂など）の熱融着糸であっても良い。
更に、伸縮部２１を編成する伸縮糸としては、後述する熱融着性部分を有した熱融着糸を含んでいたり、その他の素材の糸を含んでいても良い。
【００７４】
伸縮糸（高伸度糸）の伸度（糸伸度）Ｄは、後述する補強部（低伸度部）２２を編成する糸（補強糸、又は、低伸度糸）より、糸伸度Ｄが高ければ、その具体的な値に、特に限定はないが、例えば、伸縮糸が長手方向に１５％伸張した時の応力（単位：Ｎ（ニュートン））が、０．０１Ｎ以上５．００Ｎ以下、好ましくは０．０２Ｎ以上３．００Ｎ以下、更に好ましくは０．０３Ｎ以上２．００Ｎ以下であっても良い。
又、この伸縮糸で編成された伸縮部２１としての部分伸度Ｄ’も、その具体的な値に、特に限定はないが、例えば、幅（生地幅）５０ｍｍの伸縮部２１が足囲方向Ｃ’（ウェール方向）に１５％伸張した時の応力（単位：Ｎ（ニュートン）／５０ｍｍ）が、１．００Ｎ／５０ｍｍｍ以上３０．００Ｎ／５０ｍｍ以下、好ましくは３．００Ｎ／５０ｍｍ以上２０．００Ｎ／５０ｍｍ以下、更に好ましくは５．００Ｎ／５０ｍｍ以上１５．００Ｎ／５０ｍｍ以下であっても良い。
【００７５】
＜補強部２２＞
図１〜１１に示したり、上述したように、補強部２２は、上述した伸縮部２１を補強する部分であるが、ここで、「補強部２２が伸縮部２１を補強する」とは、補強部２２で伸縮部２１を支える（又は、アッパー部材１全体としての過度の伸びを抑えて、当該アッパー部材１の形状を保つ（型崩れを抑える））ことを意味するとも言える。
そのため、補強部２２は、伸縮部２１より伸び難く、換言すれば、補強部２２を編成する糸の糸伸度Ｄ（補強部２２としての部分伸度Ｄ’）が、伸縮部２１を編成する糸の糸伸度Ｄ（伸縮部２１としての部分伸度Ｄ’）より高いとも言える。
【００７６】
尚、補強部２２の伸度Ｄの具体的な値は、伸縮部２１を補強する（伸縮部２１の伸度Ｄより低い）のであれば、何れの値でも良い。
補強部２２の配置も、特に限定はないが、例えば、平面視で、上述した使用者Ｕの足Ｆにおける一方の側部ＦＳ１から他方の側部ＦＳ２へ、又は、他方の側部ＦＳ２から一方の側部ＦＳ１へ向いて配置されていても良い。
【００７７】
これを換言すれば、補強部２２は、上述した伸縮部２１の隙間（伸縮部２１のそばに、又は、複数の補強部２２で伸縮部２１を挟んで）配置されている。
つまり、補強部２２も、緯編地２の足幅方向Ｓ’のうち何れかの方向に略沿う方向、又は、足幅方向Ｓ’に対して若干の角度をつけた方向に向いて配置されているとも言える。
【００７８】
補強部２２も、その形状は、特に限定はなく、例えば、略帯状（略線状や略筋（すじ）状）であったり、先細り状（略三角形状）や略矩形状などであっても良い。
補強部２２が略帯状である場合、その補強部２２は途中で屈曲していても良い。
【００７９】
補強部２２が略帯状である場合、その補強部２２の幅（緯編地２としてのコース方向である足長方向長さ）も、特に限定はないが、上述した伸縮部２１より幅広であっても良く、例えば、伸縮部２１と比べて、補強部２２を編成する糸（補強糸）の本数（コースの数）がより多かったり、補強糸の本数（コースの数）に関わらず、各補強糸の繊度（太さ）が太い等によって、伸縮部２１より幅広となっても構わない。
又、補強部２２が略帯状である場合、その補強部２２の幅は、例えば、当該補強部２２を編成する補強糸が、１本（緯編地２としての１コース）以上、７本（緯編地２としての７コース）以下であっても良い。
以下、補強部２２も、略帯状であるとして述べる。
【００８０】
補強部２２は、緯編地２の足幅方向Ｓ’に略沿って、又は、足幅方向Ｓ’に対して若干の角度をつけて、所定の足幅方向範囲に配置されることとなる。
ここで、「所定の足幅方向範囲」とは、補強部２２の一方端から他方端まで（又は他方端から一方端まで）の足幅方向Ｓ’に亘る範囲とも言えるが、補強部２２が、使用者Ｕの足Ｆを１周回って覆っている場合（つまり、緯編地２の上面部分２ｊ（甲部分２ｋ）側と足裏部分２ｕに亘って補強部２２が配置されている場合）には、この足幅方向範囲は、緯編地２全体となり、補強部２２の足幅方向範囲における一方端や他方端も存在しなくなる。
【００８１】
補強部２２も、１つの緯編地２に対して複数あり、当該足Ｆの足長方向Ｌ（緯編地２の足長方向Ｌ’）に略沿って、繰り返し配置されている。
又、補強部２２も、当該足Ｆの足長方向Ｌ（緯編地２の足長方向Ｌ’）に略沿って、所定の足長方向範囲に配置される。
ここで、「所定の足長方向範囲」とは、最も前（爪先部分２ｔ）側に配置された補強部２２の前端から、最も後（踵部分２ｈ）側に配置された補強部２２の後端までの足長方向Ｌ’に略沿った範囲となる。
【００８２】
又、補強部２２の前端位置や後端位置も、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、補強部２２における足幅方向範囲や足長方向範囲も、上述した伸縮部２１における足幅方向範囲や足長方向範囲と略同一であるとも言える。
【００８３】
補強部２２も、その一部に、上面ＦＪ側及び底部ＦＢ側において、伸度Ｄ（部分伸度Ｄ’）が異なる部分を有していても良い。
このような補強部２２中の伸度Ｄが異なる部分は、補強部２２を編成する糸（低伸度糸）の各編目（ループ）の数・大きさを、他の部分と異なるようにしても良く、又、後述する補強部２２において、浮編組織５がある位置に設けられるとも言える。
【００８４】
＜補強糸＞
ここまで述べた補強部２２は、アッパー部材１（又は、靴１００）としての補強材を構成しているとも言える。
又、補強部（低伸度部）２２を編成する糸（謂わば、補強糸又は低伸度糸）としては、熱融着性部分を有した熱融着糸を含んでいても良い（この熱融着糸を含むことで、補強部２２がまさしく補強材になれるとも言える）。
【００８５】
熱融着糸は、少なくとも上述した補強部２２に使われる糸の１種であって（つまり、熱融着糸は、補強部２２を編成する補強糸に含まれていて）、熱融着性部分を有している。
この熱融着性部分は、熱処理をすることで溶融する部分であって、熱融着糸が非熱融着性部分も有している場合には、熱融着性部分は、当然、非熱融着性部分より融点が低くなる。
【００８６】
この熱融着性部分や非熱融着性部分の素材は、特に限定はないが、例えば、熱融着性部分と非熱融着性部分が、ポリエチレン（ＰＥ）樹脂とポリプロピレン（ＰＰ）樹脂であっても良い。この他の素材としては、熱融着性部分と非熱融着性部分が、ポリエステル樹脂（ポリエチレンテレフタレート（ＰＥＴ）樹脂、ポリトリメチレンテレフタレート（ＰＴＴ）樹脂、ポリブチレンテレフタレート（ＰＢＴ）樹脂など）とポリエチレン（ＰＥ）樹脂やポリアミド（ナイロン）樹脂であったり、通常のポリエステル樹脂（高融点ポリエステル樹脂）と低融点ポリエステル樹脂などであっても構わない。
熱融着糸は、例えば、融点がより高い非熱融着性部分を芯とし、融点がより低い熱融着性部分を鞘とした芯鞘構造や、融点がより高い非熱融着性部分の芯糸に対して、融点がより低い熱融着性部分の鞘糸を巻き付けたカバリング構造などでも良い。
【００８７】
補強糸（低伸度糸）の伸度（糸伸度）Ｄは、上述した伸縮部（高伸度部）２１を編成する糸（伸縮糸、又は、高伸度糸）より、糸伸度Ｄが低ければ、その具体的な値に、特に限定はないが、例えば、補強糸が長手方向に１５％伸張した時の応力（単位：Ｎ（ニュートン））が、０．０１Ｎ以上１０．００Ｎ以下、好ましくは０．０５Ｎ以上７．００Ｎ以下、更に好ましくは０．０７Ｎ以上５．００Ｎ以下であっても良い。
又、この補強糸で編成された補強部２２としての部分伸度Ｄ’も、その具体的な値に、特に限定はないが、例えば、幅（生地幅）５０ｍｍの補強部２２が足囲方向Ｃ’（ウェール方向）に１５％伸張した時の応力（単位：Ｎ（ニュートン）／５０ｍｍ）が、３．００Ｎ／５０ｍｍ以上５０．００Ｎ／５０ｍｍ以下、好ましくは７．００Ｎ／５０ｍｍ以上３０．００Ｎ／５０ｍｍ以下、更に好ましくは１０．００Ｎ／５０ｍｍ以上２０．００Ｎ／５０ｍｍ以下であっても良い。
【００８８】
更に、伸縮糸（高伸度糸）の糸伸度Ｄから、補強糸（低伸度糸）の糸伸度Ｄを引いた値（つまり、伸縮部（高伸度部）２１と補強部（低伸度部）２２との糸伸度Ｄの差（糸伸度差）ΔＤ）も、０より大きければ、その具体的な値に、特に限定はないが、例えば、各糸が長手方向に１５％伸張した時の応力（単位：Ｎ（ニュートン））の糸伸度差ΔＤが、０．０１Ｎ以上５．００Ｎ以下、好ましくは０．０３Ｎ以上４．００Ｎ以下、更に好ましくは０．０４Ｎ以上３．００Ｎ以下であっても良い。
又、伸縮部（高伸度部）２１の部分伸度Ｄ’から、補強部（低伸度部）２２の部分伸度Ｄ’を引いた値（つまり、伸縮部（高伸度部）２１と補強部（低伸度部）２２との部分伸度Ｄ’の差（部分伸度差）ΔＤ’）も、０より大きければ、その具体的な値に、特に限定はないが、例えば、幅（生地幅）５０ｍｍの各部分（各生地）が足囲方向Ｃ’（ウェール方向）に１５％伸張した時の応力（単位：Ｎ（ニュートン）／５０ｍｍ）の部分伸度差ΔＤ’が、２．００Ｎ／５０ｍｍ以上２０．００Ｎ／５０ｍｍ以下、好ましくは４．００Ｎ／５０ｍｍ以上１０．００Ｎ／５０ｍｍ以下、更に好ましくは５．００Ｎ／５０ｍｍ以上８．００Ｎ／５０ｍｍ以下であっても良い。
【００８９】
＜シューホール３＞
上述した補強部２２には、シューホール３が形成されていても良い。
このシューホール３について、以下に詳解する。
【００９０】
図１〜１１に示されたように、シューホール３は、緯編地２（アッパー部材１）を貫通して当該アッパー部材１の外側とその内側（使用者Ｕの足Ｆ側）を繋げる孔であって、靴１００のシューレース（靴紐）１０１を挿通する。
このシューホール３を有する場合には、補強部２２に形成されていれば、その他、何れの箇所に設けられていても良い。
【００９１】
シューホール３は、緯編地２を貫通するのであれば、その形状・大きさ・構成・数に限定はないが、例えば、形状については、丸孔状（略真円形状）や長孔状（略楕円形状）であっても良い。
特に、シューホール３が長孔状である場合、その長軸の方向も、特に限定はないが、例えば、使用者Ｕの足Ｆの足囲方向Ｃ（緯編地２の足囲方向Ｃ’）や、補強部（低伸度部）２２の延びる方向に略沿っていても良い。又、シューホール３が長孔状である場合、後述するシューレース１０１を１本だけでなく複数本、挿通することが出来るとも言える。
【００９２】
シューホール３の大きさも、特に限定はないが、例えば、シューホール３が丸孔状であれば、その直径は３ｍｍ以上６ｍｍ以下であったり、シューホール３が長孔状であれば、その長径は３ｍｍ以上１０ｍｍ以下、短径は３ｍｍ以上６ｍｍ以下であっても良い。
又、シューホール３の大きさは、足囲方向Ｃ’の長さが、当該シューホール３を構成する編目（ループ）の数によって決まり、足長方向Ｌ’の長さが、緯編地２におけるコース数によって決まるとも言え、それらの数も特に限定はないが、例えば、編目の数であれば３個以上１０個以下、コース数であれば３コース以上６コース以下であっても良い。
【００９３】
シューホール３の構成（緯編組織）も、特に限定はないが、例えば、当該シューホール３を伏せ目によって編成しても良い。
尚、シューホール３を伏せ目で編成した場合には、当該シューホール３において、この伏せ目と対向する側は、掛け目となるとも言える。
【００９４】
この他、シューホール３は、寄せ目によって編成されていたり、パンチングによって設けられていても良い。
又、シューホール３は、その孔の周縁を樹脂で補強していたり、ハトメ（鳩目）その他の樹脂製、金属製等の部材を嵌め込んでいても良い。
【００９５】
シューホール３は、１つの緯編地２に対して、左右一対に複数が足長方向Ｌ’に略沿って列を成すように設けられていても良く、シューホール３の個数も、特に限定はないが、左右の例でそれぞれ３個以上１５個以下（１０個など）であっても良い。
【００９６】
＜浮編組織５＞
図６〜９に示したように、浮編組織５は、上述した補強部２２に設けられた組織であって、浮編組織５は、補強部２２に含まれるとも言える。この浮編組織５は、後述する漸変部６を、少なくとも使用者Ｕの足ＦにおけるＭＰ関節の近傍を覆う位置に有している。
又、浮編組織５を編成する糸（浮糸）５ａは、当該浮編組織５以外の部分（非浮編組織）を編成する糸より伸度Ｄが低くても良い。
【００９７】
浮編組織５の配置も、特に限定はないが、例えば、その少なくとも一部が、上述した補強部２２内において、平面視で、上述した使用者Ｕの足Ｆにおける一方の側部ＦＳ１から他方の側部ＦＳ２へ、又は、他方の側部ＦＳ２から一方の側部ＦＳ１へ向いて配置されていても良い。
この場合、浮編組織５の少なくとも一部も、補強部２２と同様に、平面視で、緯編地２の足幅方向Ｓ’（足囲方向Ｃ’）のうち何れかの方向に略沿う方向、又は、足幅方向Ｓ’（足囲方向Ｃ’）に対して若干の角度をつけた方向に向いて（換言すれば、使用者Ｕの足Ｆの足幅方向Ｓ（足囲方向Ｃ）に対して斜めに）配置されているとも言える。
【００９８】
尚、浮編組織５は、補強部２２や上述の伸縮部２１とは異なり、緯編地２の足長方向Ｌ’に略沿って配置されている部分を有していても良く、このような足長方向Ｌ’に略沿った部分が、例えば、アッパー部材１（緯編地２）の底部ＦＢ（裏面部分２ｕ）側における足幅方向Ｓ’略中央の外側に、略線状に設けられていても良い（図６参照）。
浮編組織５の形状も、補強部２２内において、特に限定はなく、例えば、略線状（略帯状や略筋（すじ）状）であったり、先細り状（略三角形状）や略矩形状などであっても良い。
浮編組織５が略線状である場合、その浮編組織５は途中で屈曲していても良い。
【００９９】
浮編組織５が略線状である場合、その浮編組織５の幅（緯編地２としてのコース方向である足長方向長さ）も、特に限定はないが、上述した補強部２２内に設けられることから、当該補強部２２より幅狭であっても良く、例えば、補強部２２と比べて、浮編組織５を編成する浮糸５ａの本数（コースの数）がより少なかったり、浮糸５ａの本数（コースの数）に関わらず、各浮糸５ａの繊度（太さ）が細い等によって、補強部２２より幅狭となっても構わない。
又、浮編組織５が略線状である場合、その浮編組織５の幅は、例えば、当該浮編組織５の浮糸５ａが、１本（緯編地２としての１コース）以上、３本（緯編地２としての７コース）以下であっていたり、部分的に異なっていても良い。
以下、浮編組織５も、略線状であるとして述べる。
【０１００】
浮編組織５は、平面視で、緯編地２の足幅方向Ｓ’に略沿って、又は、足幅方向Ｓ’に対して若干の角度をつけて、所定の足幅方向範囲に配置されることとなる。
ここで、「所定の足幅方向範囲」とは、浮編組織５の一方端から他方端まで（又は他方端から一方端まで）の足幅方向Ｓ’に亘る範囲とも言えるが、当然に、上述した補強部２２内に設けられるため、当該補強部２２の足幅方向範囲と略同じか、より狭いこととなる。
【０１０１】
浮編組織５の足幅方向範囲としては、例えば、使用者Ｕの足ＦにおけるＭＰ関節・リスフラン関節・ショパール関節等の部位に応じて、部分的に異なっていても良く、緯編地２の前筒部分２ａの前側では、一方の側部分２ｓ１と他方の側部分２ｓ２に、浮編組織５がそれぞれ配置されていても良く、又、浮編組織５の足幅方向範囲として、前筒部分２ａの後側では、足裏部分２ｕの足幅方向Ｓ’の略中央以外は、ほぼ使用者Ｕの足Ｆを１周回って覆って（緯編地２の上面部分２ｊ（甲部分２ｋ）側の一部と足裏部分２ｕに亘って浮編組織５が配置されて）いても構わない。
浮編組織５の足幅方向範囲として、中筒部分２ｂにおいては、甲部分２ｋにおける上述した左右一対のシューホール３の略間以外は、ほぼ使用者Ｕの足Ｆを１周回って覆って（緯編地２の上面部分２ｊ（甲部分２ｋ）側の一部と足裏部分２ｕに亘って浮編組織５が配置されて）いても良い。
【０１０２】
特に、中筒部分２ｂにおける浮編組織５の足幅方向範囲を詳解すれば、中筒部分２ｂの前側では、側面視で、シューホール３に届かない位置（シューホール３よりも下方位置）が、足幅方向範囲の一方端や他方端となっていても良い。又、これらの一方端と他方端は、平面視で、左右対称でなくとも構わない。
更に、中筒部分２ｂの足長方向Ｌ’の略中央から後側では、側面視で、シューホール３と略同じ位置（詳解すれば、シューホール３の位置まで、又は、シューホール３を越える位置（シューホール３よりも上方位置）が、足幅方向範囲の一方端や他方端となっていても良い。又、これらの一方端と他方端も、平面視で、左右対称でなくとも構わない。尚、浮編組織５の足幅方向長さとは、平面視で、当該浮編組織５における足幅方向Ｓ’に略沿った一方端から他方端までの長さであり、浮編組織５の足囲方向長さとは、当該浮編組織５における足囲方向Ｃ’に略沿って使用者Ｕの足Ｆをぐるっと回る一方端から他方端までの長さであるとも言える。
【０１０３】
つまり、浮編組織５の足幅方向範囲は、緯編地２における位置（使用者Ｕの足ＦにおけるＭＰ関節・リスフラン関節・ショパール関節等の部位）によって、変化している（異なっている、又は、グラデーション状に配置しているとも言える）。
このように、浮編組織５の足幅方向範囲を変化させることで、浮編組織５を、使用者Ｕの足ＦにおけるＭＰ関節とリスフラン関節とショパール関節のうち少なくとも１つの関節を避ける位置に配置しても良い。
尚、ここまで述べた浮編組織５の足幅方向範囲は、当該浮編組織５を編成する浮糸５ａの引き返しの距離・数・位置や、各編目（ループ）の数・大きさ等によって決まると言える。
【０１０４】
浮編組織５も、１つの緯編地２に対して複数あり、当該足Ｆの足長方向Ｌ（緯編地２の足長方向Ｌ’）に略沿って、繰り返し配置されている。
又、浮編組織５も、当該足Ｆの足長方向Ｌ（緯編地２の足長方向Ｌ’）に略沿って、所定の足長方向範囲に配置される。
ここで、「所定の足長方向範囲」とは、最も前（爪先部分２ｔ）側に配置された浮編組織５の前端から、最も後（踵部分２ｈ）側に配置された浮編組織５の後端までの足長方向Ｌ’に略沿った範囲となる。尚、浮編組織５の足長方向長さとは、浮編組織５における足長方向Ｌ’に略沿った前端から後端までの長さであるとも言える。
【０１０５】
又、浮編組織５の前端位置や後端位置も、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、浮編組織５は、全ての補強部２２に設けられていなくとも良く、例えば、緯編地２の足長方向Ｌ’に略沿って繰り返される複数の補強部２２のうち、所定数ごとの補強部２２には浮編組織５を設けない（３つの補強部２２のうち、１つの補強部２２には浮編組織５を設けない）など、間引いても構わない。
【０１０６】
更に、この間引きの割合は、緯編地２における補強部２２の位置によって変化しても良く、例えば、前筒部分２ａの前側や、ＭＰ関節近傍を覆う緯編地２においては、２つの補強部２２のうち、１つの補強部２２には浮編組織５を設けないが、その他の部分においては、３つの補強部２２のうち、１つの補強部２２には浮編組織５を設けなくても構わない。
浮編組織５も、その一部に、上面ＦＪ側及び底部ＦＢ側において、伸度Ｄ（部分伸度Ｄ’）が異なる部分を有していても良い。
このような浮編組織５中の伸度Ｄが異なる部分は、浮編組織５を編成する浮糸５ａの各編目（ループ）の数・大きさを、他の部分と異なるようにしても良い。
【０１０７】
＜浮糸５ａ＞
図６〜９に示したり、上述したように、浮編組織５を編成する浮糸５ａは、当該浮編組織５以外の部分（非浮編組織）を編成する糸より伸度Ｄが低くても良く、この場合を換言すれば、浮糸５ａは、アッパー部材１（緯編地２）を編成する糸の中で、最も伸度（糸伸度）Ｄが低いとも言える。
尚、浮編組織５の浮糸５ａの伸度Ｄも、その具体的な値は、伸縮部２１を補強する（伸縮部２１の伸度Ｄより低い）のであれば、何れの値でも良い。
その他、浮糸５ａは、補強部２２における非浮編組織を編成する糸と同じであっても良い。
【０１０８】
上述した浮編組織５の少なくとも一部が、緯編地２の足幅方向Ｓ’又は足囲方向Ｃ’（使用者Ｕの足Ｆの足幅方向Ｓ又は足囲方向Ｃ）に対して、略沿って、又は、斜めに配置されても良かったように、浮糸５ａも、その少なくとも一部が、緯編地２の足幅方向Ｓ’又は足囲方向Ｃ’（使用者Ｕの足Ｆの足幅方向Ｓ又は足囲方向Ｃ）に対して、略沿って、又は、斜めに配置されていても構わない。
又、浮編組織５の浮糸５ａは、使用者Ｕの足Ｆにおけるリスフラン関節とショパール関節のうち少なくとも１つの関節の近傍に、側面視で後方に向かうにつれて斜め下方に延びるように配置されていても良い。ここで、使用者Ｕの足ＦのＭＰ関節が屈曲して踵Ｈが上方に移動した場合に、アッパー部材１に取り付けられているソール部材３０も屈曲するものの、アッパー部材１の踵部分１ｈは、ソール部材３０の反力により、側面視で後方に向かうにつれて斜め下方に延びる方向に引っ張られる。この場合において、浮編組織５を編成する糸を、使用者Ｕの足Ｆにおけるリスフラン関節とショパール関節のうち少なくとも１つの関節の近傍に、側面視で後方に向かうにつれて斜め下方に延びるように配置することにより、上述のごとくアッパー部材１の踵部分１ｈがソール部材３０により引っ張られた場合にも、斜め方向に延びる浮編組織５の糸によりアッパー部材１が伸びるのを抑制できるので、アッパー部材１が使用者Ｕの足Ｆを十分にホールドすることが可能である。
このような浮糸５ａの素材は、その伸度Ｄが、非浮編組織を編成する糸より低くなるのであれば、特に限定はないが、ポリエチレンテレフタレート（ＰＥＴ）樹脂等のポリエステル樹脂などであっても構わない。
【０１０９】
又、浮糸５ａは、ウーリー加工によって、特に、浮いている部分が、嵩高糸（ウーリー糸）状となっていても良い。
尚、同じ浮糸５ａである糸でも、浮編とならず、上述した補強部２２の一部を編成する糸の１種として用いられていても良い。
【０１１０】
＜漸変部６＞
図６〜９に示したように、漸変部６は、上述した浮編組織５の足囲方向長さが漸次変化する部分であって、少なくとも使用者Ｕの足ＦにおけるＭＰ関節の近傍を覆う位置に設けられている。つまり、漸変部６は、浮編組織５が配置される足長方向位置（前後位置）によって、当該浮編組織５の足囲方向長さが漸次変化するとも言える。
又、漸変部６は、上述した浮編組織と、当該浮編組織５以外の部分（非浮編組織）との境界が漸次変化する部分であるとも言え、この場合の浮編組織５と非浮編組織との「境界」とは、複数の浮編組織５が、緯編地２の足幅方向Ｓ’（足囲方向Ｃ’）に略沿って、又は、足幅方向Ｓ’に対して若干の角度をつけて、所定の足幅方向範囲に配置されている場合には、複数の浮編組織５の足幅方向範囲における一方端又は他方端それぞれを結んだ線を意味し、複数の浮編組織５が、緯編地２の足長方向Ｌ’に略沿って、所定の足長方向範囲に配置されている場合には、複数の浮編組織５の足長方向範囲における前端又は後端それぞれを結んだ線を意味するとも言える。
【０１１１】
又、「足囲方向長さ（又は、境界）が漸次変化する」とは、平面視、側面視又は底面視等で、緯編地２内における浮編組織５の足囲方向長さが漸減又は漸増するように、当該浮編組織５が配置されていることを意味する。
以下、漸変部６を有する浮編組織５が設けられた補強部２２は、足幅方向Ｓ’（足囲方向Ｃ’）に略沿って、１周回って配置されているものとして述べる。
【０１１２】
この場合、足囲方向Ｃ’に略沿って１周回る補強部２２の補強糸と、浮編組織５の浮糸５ａが一緒に編成される（謂わば、補強部２２に浮糸５ａが挿入される）こととなり、この浮糸５ａの挿入長さ（又は挿入割合や、上述した足囲方向長さとも言える）を、漸次変化（漸減又は漸増）させることによって、上述した足囲方向長さ（境界）が漸次変化して、漸変部６を形成することとなる。このとき、漸変部６は、使用者Ｕの足ＦにおけるＭＰ関節の近傍を覆う位置で、足囲方向長さが最も短いとも言える。
例えば、図８中に２カ所の楕円で示した漸変部６を説明すれば、前側の楕円については、前から１番目の浮糸５ａ（１本のみ）の足囲方向Ｃ’の挿入長さ（足囲方向長さ）は１１．５ｃｍで、この浮糸５ａにおける補強部２２の足囲Ｗ’は１５．６ｃｍであるから、その挿入割合は１１．５／１５．６＝０．７３７１７…≒７４％となり、前から２番目の浮糸５ａ（２本）の足囲方向Ｃ’の挿入長さは９．７ｃｍで、この浮糸５ａにおける補強部２２の足囲Ｗ’は１６．０ｃｍであるから、その挿入割合は９．７／１６．０＝０．６０６２５≒６１％となり、前から３番目の浮糸５ａ（２本）の足囲方向Ｃ’の挿入長さは９．６ｃｍで、この浮糸５ａにおける補強部２２の足囲Ｗ’は１６．６ｃｍであるから、その挿入割合は９．６／１６．６＝０．５７８３１…≒５８％となっていることから、漸変部６において、前から１番目〜３番目までの浮糸５ａの挿入長さ（足囲方向長さ、つまり、浮編組織５と非浮編組織の境界）は、漸減している。
【０１１３】
同様に、前側の楕円について、前から４番目の浮糸５ａ（２本）の足囲方向Ｃ’の挿入長さは１１．３ｃｍで、この浮糸５ａにおける補強部２２の足囲Ｗ’は１７．２ｃｍであるから、その挿入割合は１１．３／１７．２＝０．６５６９７…≒６６％となり、後側の楕円について、前から５番目の浮糸５ａ（２本）の足囲方向Ｃ’の挿入長さは１３．０ｃｍで、この浮糸５ａにおける補強部２２の足囲Ｗ’は１７．０ｃｍであるから、その挿入割合は１３．０／１７．０＝０．７６４７０…≒７６％となり、前から６番目の浮糸５ａ（２本）の足囲方向Ｃ’の挿入長さは１２．９ｃｍで、この浮糸５ａにおける補強部２２の足囲Ｗ’は１６．８ｃｍであるから、その挿入割合は１２．９／１６．８＝０．７６７８５…≒７７％となり、前から７番目の浮糸５ａ（２本）の足囲方向Ｃ’の挿入長さは１３．２ｃｍで、この浮糸５ａにおける補強部２２の足囲Ｗ’は１６．４ｃｍであるから、その挿入割合は１３．２／１６．４＝０．８０４８７…≒８０％となっていることから、漸変部６において、前から４番目〜７番目までの浮糸５ａの挿入長さ（足囲方向長さ、つまり、浮編組織５と非浮編組織の境界）は、漸増している。
【０１１４】
ここで例示した漸変部６は、使用者Ｕの足ＦにおけるＭＰ関節からリスフラン関節にかけて、足囲方向長さ（境界）が漸減してから漸増するように配置されており、これは、ＭＰ関節から後方に向かうにつれて徐々に伸度Ｄを上げた（伸び易くした）後に、そこからリスフラン関節に向かうにつれて徐々に伸度Ｄを下げる（伸び難くする）ように、補強部２２の伸度Ｄのコントロールが可能となっている。
この補強部２２の伸度Ｄのコントロールによって、補強部２２と非補強部との切替りで、ホールド性を高めながら足当たり感を向上できる（「足当たり感の向上」）。
そこで、浮編組織５（浮糸５ａ）の足囲方向長さ（挿入割合）を変化させた（漸変部６を設けた）時に、実際に補強部２２に生じる応力の変化を、以下の試験にて示す。
【０１１５】
＜試験＞
ここまで述べた浮編組織５（浮糸５ａ）の足囲方向長さ（挿入割合）と、浮編組織５を含む補強部２２の伸度Ｄ（特に、部分伸度Ｄ’）の関係について、以下の試験を行う。
この試験では、浮糸５ａ（浮編組織５）を挿入する長さを変えた２種類の短冊状緯編地（補強部２２に相当）を、引張試験機にて掴んで（チャックして）１００ｍｍ／分の引張速度で引っ張った（伸張させた）際に、チャック部分（補強部２２）にかかる応力（単位：Ｎ（ニュートン）に対する短冊状緯編地（補強部２２）の伸張割合を測定する。
その測定結果を、縦軸に応力、横軸に伸張割合としたグラフで、図１０に示す。
【０１１６】
尚、この試験に用いた短冊状緯編地は、３本の熱融着糸を引き揃えて編成したスムース編の緯編地であって、その大きさは、５０ｍｍ×２００ｍｍである。
この短冊状緯編地を編成する熱融着糸は、ポリトリメチレンテレフタレート（ＰＴＴ）樹脂製の芯糸（１６７ｄｔｅｘ、フィラメント数７２）に対して、ポリアミド（ナイロン）樹脂製の鞘糸（１１０ｄｔｅｘ）を、２００回／ｍで巻き付けたカバリング構造の糸である。
ここまで述べた短冊状緯編地に挿入される浮糸５ａ（浮編組織５）は、ポリエチレンテレフタレート（ＰＥＴ）樹脂製の糸であって、詳解すれば、実総繊度３３０ｄｔｅｘ（１６７ｄｔｅｘ、フィラメント数４８の双糸）、総フィラメント数９６、糸としての引張強度（つまり、糸伸度Ｄ）３．６３ｃＮ／ｄｔｅｘ）である。
この浮糸５ａを、上述した短冊状緯編地１枚に対して、８本たるみなく挿入した。
ここで、浮糸５ａの挿入長さは、１５ｍｍ、３０ｍｍ、４５ｍｍ、６０ｍｍの４種類であり、引張試験機におけるチャック間距離が６０ｍｍであることから、それぞれの挿入長さは、引っ張られる短冊状緯編地のチャック間距離の２５％、５０％、７５％、１００％である（この場合の挿入長さは、足囲方向長さや挿入割合であるとも言える）。
この挿入割合が２５％、５０％、７５％、１００％の短冊状緯編地をそれぞれ１つずつ作成した（図１０中の２５％、５０％、７５％、１００％参照）。
尚、引張試験機のチャック幅は５０ｍｍである。
又、この試験における伸張割合とは、（伸張した時のチャック間距離−伸張前の元のチャック間距離）／（伸張前の元のチャック間距離）で求められる。
【０１１７】
＜試験の評価＞
上述した図１０より、何れの伸張割合においても、浮糸５ａの挿入割合が高い（足囲方向長さが長い）ほど、補強部２２（チャック部分）にかかる応力も高くなっており、浮糸５ａ（浮編組織５）の挿入割合が高い補強部２２ほど、当該補強部２２は伸び難くなっている。
これを換言すれば、浮糸５ａ（浮編組織５）の挿入割合が高い（足囲方向長さが長い）補強部２２ほど、その伸度Ｄ（部分伸度Ｄ’））は低いと言えると共に、補強部２２に対する浮糸５ａの挿入割合（足囲方向長さ）を徐々に変えることによって、当該補強部２２が発揮する応力も徐々に変化させることが可能となる。
【０１１８】
つまり、補強部２２における浮編組織５に漸変部６を設けることによって、補強部２２における伸度Ｄのコントロール（例えば、補強部２２（浮編組織５）から当該補強部２２以外の部分（非補強部、又は、非浮編組織）に向かうにつれて徐々に伸度Ｄを上げる（伸び易くする）等）が可能となり、使用者Ｕが靴１００を履いた際に、補強部２２と非補強部（非浮編組織）との間（切替り）で、ホールド性を高めながら足当たり感を向上できる（「足当たり感の向上」）。
以下は、使用者Ｕが履く靴１００について述べる。
【０１１９】
＜靴１００の全体構成＞
図１１には、本発明に係る靴１００が示されている。
この靴１００は、使用者Ｕが履くものであり、当該使用者Ｕの足Ｆを覆うこととなる。
【０１２０】
靴１００は、上述したアッパー部材１と、このアッパー部材１を取り付けるソール部材３０を備えており、その他、シューレース１０１等を備えていても良い。
又、靴１００全体としての重量も、特に限定はないが、例えば、８０ｇ以上１７０ｇ以下、好ましくは１００ｇ以上１５０ｇ以下、更に好ましくは１１０ｇ以上１４０ｇ以下（１２５ｇなど）であっても良い。
尚、図１〜９におけるアッパー部材１では、伸縮部２１及び補強部２２が、使用者Ｕの足Ｆの足幅方向Ｓに略沿って、又は、足幅方向Ｓに対して斜めに配置されているが、図１１におけるアッパー部材１では、伸縮部２１は、平面視で、使用者Ｕの足Ｆにおける一方の側部ＦＳ１から他方の側部ＦＳ２へ又は他方の側部ＦＳ２から一方の側部ＦＳ１へ向いて先細り状に配置され、補強部２２は、平面視で、使用者Ｕの足Ｆの足幅方向Ｓに蛇行して配置されている。
【０１２１】
＜ソール部材３０＞
図１１に示すように、ソール部材３０は、靴１００において、上述のアッパー部材１の下方から取り付けられる（貼り付けられる）部材である。
ソール部材３０は、その素材について、特に限定はないが、例えば、合成ゴムや、エチレン・酢酸ビニル共重合（ＥＶＡ）樹脂、ポリウレタン（ＰＵ）樹脂などの合成樹脂、又は、合成ゴムや、エチレン・酢酸ビニル共重合樹脂、ポリウレタン樹脂などの合成樹脂を発泡させたもの、天然ゴム、天然皮革などであっても良い。
【０１２２】
ソール部材３０は、その硬さ（例えば、上述した伸度Ｄ）についても、特に限定はないが、例えば、アッパー部材１より硬く（アッパー部材１より伸度Ｄが低く）構成されていても良い（アッパー部材１のみでは靴１００を使用し難いため）。
ソール部材３０の形状などは、靴１００の使用用途に応じて、特に限定はない。
ソール部材３０の重量も、特に限定はないが、例えば、７０ｇ以上１３０ｇ以下、好ましくは８０ｇ以上１２０ｇ以下、更に好ましくは９０ｇ以上１１０ｇ以下（１００ｇなど）であっても良い。
【０１２３】
＜ソール部材３０の足長方向長さ３０Ｌ＞
ソール部材３０の足長方向長さ３０Ｌは、特に限定はないが、例えば、上述したアッパー部材１の足長方向長さ１Ｌより長くても構わない。
このように、ソール部材３０の足長方向長さ３０Ｌを、アッパー部材１の足長方向長さ１Ｌより長くすることによって、アッパー部材１をソール部材３０に取り付けた際に、アッパー部材１全体で、使用者Ｕの足Ｆを緩やかに拘束でき、使用者Ｕが靴１００を履いた際に、使用者Ｕの足Ｆの皮膚に、アッパー部材１を更に追従させ易くなる。
ここで、本発明における「ソール部材３０の足長方向長さ３０Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該ソール部材３０の足長方向長さ３０Ｌを意味する。
【０１２４】
＜シューレース１０１＞
図１１に示すように、シューレース（靴紐）１０１は、アッパー部材１において、上述したシューホール３に挿通する紐状の部材である。
シューレース１０１は、シューホール３に挿通することが出来るのであれば、何れの色・素材・幅（太さ）・長さ・断面形状・構成（平紐等）であっても良い。
【０１２５】
シューレース１０１のシューホール３への挿通には、特に限定はないが、例えば、１つのシューホール３に対して、シューレース１０１を１本だけ挿通したり、複数本、挿通しても良い。
又、複数のシューホール３に対するシューレース１０１の挿通についても、隣接するシューホール３それぞれに（飛ばさずに）挿通したり、隣接するシューホール３のうち１つ又は複数だけ飛ばして挿通しても良い。
【０１２６】
＜その他＞
本発明は、前述した実施形態に限定されるものではない。アッパー部材１、靴１００等の各構成又は全体の構造、形状、寸法などは、本発明の趣旨に沿って適宜変更することが出来る。
アッパー部材１（緯編地２）は、左右の区別なく編成されて、同一形状の２つのアッパー部材１に対して、左右何れのソール部材３０を取り付けても良く、同一形状の２つのアッパー部材１を、左右何れの靴１００に対して用いても構わない。
【０１２７】
アッパー部材１には、撥水防汚などの機能性樹脂を塗布しても良い。
アッパー部材１には、プリントを施したり、シールを張り付ける等をしても良い。
アッパー部材１は、その甲部ＦＫ側に舌片状のタン部分や、左右一対の羽根部分を有し、この羽根部分にシューホール３が設けられていても良い。
逆に、アッパー部材１は、シューホール３自体を有さなくとも良く、又、靴１００は、シューレース１０１を用いなくとも構わない。
尚、アッパー部材１は、伸縮部２１と補強部２２の他に、例えば、緯編地２の爪先部分２ｔや、踵部分２ｈ、後開口部分２ｃ、履き口２ｇなどの後部分２ｒに、伸縮部２１や補強部２２を編成する糸以外の糸等で編成された部分を有していても良い。
【０１２８】
伸縮部２１や補強部２２、その他の部分の色は、任意である。
伸縮部２１と補強部２２は、何れか一方が他方に対して隆起又は陥没するなど、伸縮部２１と補強部２２で凹凸を形成していても良い。
伸縮部２１は、平面視で、使用者Ｕの足Ｆにおける一方の側部ＦＳ１から他方の側部ＦＳ２へ又は他方の側部ＦＳ２から一方の側部ＦＳ１へ向いて先細り状に配置されていても良く、ここで、「平面視で、使用者Ｕの足Ｆにおける一方の側部ＦＳ１から他方の側部ＦＳ２へ又は他方の側部ＦＳ２から一方の側部ＦＳ１へ向いて先細り状に配置されている」とは、伸縮部２１は、緯編地２を上から視た平面視（上面部分２ｊ（甲部分２ｋ）側）で、足Ｆにおける一方の側部ＦＳ１（緯編地２の一方の側部分２ｓ１）から他方の側部ＦＳ２（緯編地２の他方の側部分２ｓ２）へ、又は、他方の側部ＦＳ２（緯編地２の他方の側部分２ｓ２）から一方の側部ＦＳ１（緯編地２の一方の側部分２ｓ１）へ向いて先細ることを意味する。
補強部２２は、平面視で、使用者Ｕの足Ｆの足幅方向Ｓに蛇行して配置されていても良い、ここで、「蛇行して配置されている」とは、補強部２２が、緯編地２（アッパー部材１）を上から視た平面視（上面部分２ｊ（甲部分２ｋ）側）で、使用者Ｕの足Ｆにおいて、一方の側部ＦＳ１から他方の側部ＦＳ２に向いて延びた後に他方の側部ＦＳ２から一方の側部ＦＳ１に向いて延び、又は、他方の側部ＦＳ２から一方の側部ＦＳ１に向いて延びた後に一方の側部ＦＳ１から他方の側部ＦＳ２に向いて延びる（換言すれば、ジグザク状になる）部分が、当該足Ｆの足長方向Ｌに沿って、所定の足長方向範囲（所定回数）だけ繰り返すことを意味する。
緯編地２の履き口２ｇは、ウーリー糸を含む糸で編成されていたり、履き口２ｇの後部に上方突出した舌片が設けられていても良い。
シューホール３は、補強部２２に設けられる以外に、伸縮部２１に設けられていても良い。
【０１２９】
浮編組織５は、使用者Ｕの足Ｆを１周回って覆って（つまり、緯編地２の上面部分２ｊ（甲部分２ｋ）側と足裏部分２ｕに亘って浮編組織５が配置されて）いても良く、この場合には、その足幅方向範囲は、緯編地２全体となり、浮編組織５は、一方端や他方端も存在しなくなる。
浮編組織５は、緯編地２の足長方向Ｌ’に略沿って配置されている部分を有していても良かったが、上述したアッパー部材１（緯編地２）の底部ＦＢ（裏面部分２ｕ）側における足幅方向Ｓ’略中央の外側に設けられた略線状の部分の他、アッパー部材１（緯編地２）の甲部分２ｋ側（使用者Ｕの足Ｆの上面ＦＪ）に設けられていても良い。
漸変部６（浮編組織５）は、経編地２のうち、使用者Ｕの足ＦにおけるＭＰ関節の近傍を覆う位置以外に設けられていても良く、例えば、リスフラン関節やショパール関節の近傍を覆う位置や、各指を覆う前筒部分２ａなどに設けられていても構わない。
尚、本発明における「関節の近傍」とは、当該関節を含む近辺を意味し、その範囲は、当該関節を中心に足長方向（前後）に所定幅（例えば、前後に５ｍｍや１０ｍｍなど）であっても良い。
【０１３０】
＜加熱成形＞
上述した緯編地２は、加熱（熱処理）によって成形（加熱成形）されても良く、この加熱成形では、緯編地２を、人の平均的な足型である「ラスト（Last）」に履かせた（被せた）状態で熱処理する。
このような加熱成形によって、緯編地２における補強部（低伸度部）２２を、使用者Ｕの足Ｆの足長方向Ｌや足厚方向に対して斜めに位置するＭＰ関節・リスフラン関節・ショパール関節に寄り添うように、緯編地２の足長方向Ｌ’や足厚方向に対して斜めに配置させた状態を保持しても良い。
尚、上述した伸度Ｄ（糸伸度Ｄ、部分伸度Ｄ’）は、加熱成形する前に測定した伸度Ｄ及び加熱成形した後に測定した伸度Ｄの何れをも含む。
【産業上の利用可能性】
【０１３１】
本発明に係るアッパー部材、及び、靴は、競技会に出場するアスリート用だけでなく、市民ランナー用やリハビリ用など、老若男女を問わず何れの使用者にも利用可能である。
【符号の説明】
【０１３２】
１        アッパー部材
１Ｌ      アッパー部材の足長方向長さ
２        緯編地
２１      伸縮部
２２      補強部
５        浮編組織
６        漸変部
３０      ソール部材
３０Ｌ    ソール部材の足長方向長さ
１００    靴
Ｕ        使用者
Ｆ        使用者の足
Ｓ        使用者の足の足幅方向
Ｄ        糸の伸度
【図１】
2019062968.tif 000003
【図２】
2019062968.tif 000004
【図３】
2019062968.tif 000005
【図４】
2019062968.tif 000006
【図５】
2019062968.tif 000007
【図６】
2019062968.tif 000008
【図７】
2019062968.tif 000009
【図８】
2019062968.tif 000010
【図９】
2019062968.tif 000011
【図１０】
2019062968.tif 000012
【図１１】
2019062968.tif 000013